【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
店員により操作される携帯端末が、会計装置に並ぶ会計待ち列の待ち位置において顧客が買い上げる商品に付されたコード情報を読み取るステップと、
前記携帯端末が、前記読み取ったコード情報を前記顧客毎に２次元コードに変換するステップと、
前記携帯端末が、前記変換された２次元コードを前記顧客へ手渡す伝票に印刷するステップと、
前記会計装置が、前記顧客へ手渡された伝票に印刷された２次元コード、又は、前記商品に付されたコード情報を読み取るステップと、
前記会計装置が、前記読み取りステップで２次元コードを読み取った場合には当該２次元コードに記録されたコード情報の数に応じて当該コード情報夫々に対応する商品データを読み出し、前記読み取りステップで前記商品に付されたコード情報を読み取った場合には当該読み取ったコード情報に対応する商品データを読み出すステップと、
前記会計装置が、前記読み出した商品データに基づき、前記顧客が買い上げる商品の会計情報を表示するステップと、
前記会計装置が、前記表示された会計情報に基づいて、前記顧客が買い上げる商品の会計を実行するステップと、
を有する会計方法。
【請求項２】
ＰＯＳレジスタに並ぶ会計待ち列の待ち位置において顧客が買い上げる商品に付されたコード情報を読み取るスキャナと、
前記スキャナが読み取ったコード情報を前記顧客毎に２次元コードに変換し、当該変換した２次元コードを出力する出力手段と、
を備える携帯端末と、
前記出力された２次元コード、又は、前記商品に付されたコード情報を読み取る読取部が設けられ、
前記読取部が２次元コードを読み取った場合には当該２次元コードに記録されたコード情報の数に応じて当該コード情報夫々に対応する商品データを読み出し、前記読取部が前記商品に付されたコード情報を読み取った場合には当該読み取ったコード情報に対応する商品データを読み出し、読み出した商品データに基づいて会計を行うＰＯＳレジスタと、
を有することを特徴とするＰＯＳシステム。
【請求項３】
前記携帯端末は、
前記スキャナが読み取ったコード情報に対応して数量を入力する数量入力手段を備え、
前記出力手段は、前記数量入力手段が入力した数量に対応して前記コード情報を繰り返
し含んだ前記２次元コードを出力する
ことを特徴とする請求項２に記載のＰＯＳシステム。
【請求項４】
前記出力手段は、前記２次元コードを印刷媒体へ印刷するよう制御する印刷制御手段を備えたことを特徴とする請求項２又は３に記載のＰＯＳシステム。
【請求項５】
前記読取部は、
前記読み取った２次元コードから前記コード情報を取得するコード情報取得手段と、
前記コード情報取得手段が取得した前記コード情報を前記ＰＯＳレジスタへ送信する送
信手段と、
を備えた中継器であることを特徴とする請求項２から４いずれか１項に記載のＰＯＳシステム。
【請求項６】
前記出力手段は、
前記２次元コードを表示部へ表示する表示手段を更に備え、
前記印刷制御手段或いは前記表示手段のいずれか一方を選択して前記２次元コードを出
力する選択手段と、
を備えることを特徴とする請求項４に記載のＰＯＳシステム。
【請求項７】
前記携帯端末が備える前記スキャナは、２次元コードを光学的に読み取り、
前記携帯端末は、
前記スキャナが読み取った前記２次元コードから前記コード情報を取得するコード情報
取得手段と、
前記コード情報取得手段が取得した前記コード情報を記憶する照合情報記憶手段と、
顧客が購入する商品に付されたコード情報が前記スキャナで読み取られると、当該コード情報と前記照合情報記憶手段が記憶する前記コード情報とを照合し、照合が一致すると、当該コード情報に対応する照合済みフラグを前記照合情報記憶手段にセットする照合手段と、
を備え、
前記出力手段は、前記照合済みフラグがセットされたコード情報のみを２次元コードで出力する
ことを特徴とする請求項２から６いずれか１項に記載のＰＯＳシステム。
【請求項８】
２次元コードを光学的に読み取る読取部と、
ＰＯＳレジスタと通信可能に接続される接続部と、
前記読取部が読み取った２次元コードからコード情報を取得するコード情報取得手段と、
前記コード情報取得手段が取得した前記コード情報を前記ＰＯＳレジスタへ送信する送
信手段と、
を備えることを特徴とする中継器。
【手続補正２】
【補正対象書類名】明細書
【補正対象項目名】発明の名称
【補正方法】変更
【補正の内容】
【発明の名称】会計方法、ＰＯＳシステム及び中継器
【手続補正３】
【補正対象書類名】明細書
【補正対象項目名】０００１
【補正方法】変更
【補正の内容】
【０００１】
本発明は、会計方法、ＰＯＳシステム及び中継器に関する。
【手続補正４】
【補正対象書類名】明細書
【補正対象項目名】０００４
【補正方法】変更
【補正の内容】
【０００４】
しかしながら、特許文献１に記載された技術では、複数のスキャナを使って購入する商品に付された商品コードを読み取るため、登録操作を行うキャッシャー担当者が、現在会計中の顧客の買物カゴの中へ隣の次に会計する顧客が購入する商品を混入させてしまう可能性がある、という問題がある。
また、登録専用のＰＯＳレジスタと会計専用のＰＯＳレジスタとをネットワークで接続して精算処理を行う方法では、少なくとも２台のＰＯＳレジスタを用いなければならないので不経済であり、また、会計情報である商品登録情報の記憶場所が離れているため、ネットワークの通信不良等が発生した場合には、会計専用のＰＯＳレジスタから登録専用のＰＯＳレジスタのデータを読み出せない。
また、予備用ＰＯＳレジスタを特売日にのみ臨時に複数台追加設置することも考えられるが、設置するスペースに余裕がなければならず、使用頻度と購入費用とのバランスから見ても経済的とは言えない。
本発明は上記の点に鑑みてなされたものであり、その目的は、より経済的に操作性良くＰＯＳレジスタにおける登録操作のスループットを上げて会計待ち行列を解消する（列崩しする）会計方法、ＰＯＳシステム及び中継器を提供することにある。
【手続補正５】
【補正対象書類名】明細書
【補正対象項目名】０００５
【補正方法】変更
【補正の内容】
【０００５】
本発明は上記の課題を解決するためになされたものであり、本発明の一態様は、店員により操作される携帯端末が、会計装置に並ぶ会計待ち列の待ち位置において顧客が買い上げる商品に付されたコード情報を読み取るステップと、前記携帯端末が、前記読み取ったコード情報を前記顧客毎に２次元コードに変換するステップと、前記携帯端末が、前記変換された２次元コードを前記顧客へ手渡す伝票に印刷するステップと、前記会計装置が、前記顧客へ手渡された伝票に印刷された２次元コード、又は、前記商品に付されたコード情報を読み取るステップと、前記会計装置が、前記読み取りステップで２次元コードを読み取った場合には当該２次元コードに記録されたコード情報の数に応じて当該コード情報夫々に対応する商品データを読み出し、前記読み取りステップで前記商品に付されたコード情報を読み取った場合には当該読み取ったコード情報に対応する商品データを読み出すステップと、前記会計装置が、前記読み出した商品データに基づき、前記顧客が買い上げる商品の会計情報を表示するステップと、前記会計装置が、前記表示された会計情報に基づいて、前記顧客が買い上げる商品の会計を実行するステップと、を有する会計方法である。
また、本発明の一態様は、顧客が購入する商品に付されたコード情報を読み取るスキャナと、前記スキャナが読み取ったコード情報を記憶するコード情報記憶手段と、前記コード情報記憶手段が記憶したコード情報を媒体に記録あるいは出力する出力手段と、を備える携帯端末と、前記携帯端末が媒体に記録あるいは出力したコード情報を読み取る読取部を設けて、前記読み取ったコード情報に基づいて商品登録を行うＰＯＳレジスタと、を有することを特徴とするＰＯＳシステムである。